(57)【要約】【目的】本発明の目的は、座部及び背もたれ部を着脱可能にし、当該座部及び背もたれ部を簡単に洗うことができる折り畳み椅子を提供することにある。【構成】折り畳み椅子Ａは、折り畳み可能な椅子本体１０と、この椅子本体１０に被せられる袋部材２０とを具備しており、椅子本体１０は、背もたれ側に設けられた一対の第１の支持脚５００と、この第１の支持脚５００の対向側に設けられた一対の第２の支持脚２００とを有しており、袋部材２０は、第１の支持脚５００に支持される背もたれ部２２と、この背もたれ部２２の両端から各々略直角に延出されており且つ前記第２の支持脚に支持される一対の肘置き部２３、２３と、背もたれ部２２と一対の肘置き部２３、２３との間に設けられた座部２１とを有する。【選択図】　　　図１
2004105557.tif 000002
【特許請求の範囲】
【請求項１】
折り畳み可能な椅子本体と、この椅子本体に被せられる袋部材とを具備しており、前記椅子本体は、背もたれ側に設けられた一対の第１の支持脚と、この第１の支持脚の対向側に設けられた一対の第２の支持脚とを有しており、前記袋部材は、前記第１の支持脚に支持される背もたれ部と、この背もたれ部の両端から各々略直角に延出されており且つ前記第２の支持脚に支持される一対の肘置き部と、前記背もたれ部と前記一対の肘置き部との間に設けられた座部とを有することを特徴とする折り畳み椅子。
【請求項２】
請求項１記載の椅子折り畳みにおいて、前記椅子本体は、脚と脚とが互いに交差し、この交点を支点として開閉可能に連結された３つのＸ字型脚部と、脚と脚とが互いに交差し、この交点を支点として開閉可能に連結された第２の支持脚と、３つのＸ字型脚部と第２の支持脚とを環状に配置し、このＸ字型脚部の隣り合う脚の下端同士及び隣り合うＸ字型脚部の脚の下端と第２の支持脚の下端とを当該Ｘ字型脚部及び第２の支持脚が開閉可能に各々連結する下側連結具と、前記Ｘ字型脚部の隣り合う脚の上端同士を当該Ｘ字型脚部が開閉可能に各々連結する第１の上側連結具と、隣り合う前記Ｘ字型脚部の脚の上端と前記第２の支持脚の上端とを当該Ｘ字型脚部及び第２の支持脚が開閉可能に各々連結する第２の上側連結具とを有しており、前記第１の支持脚は、前記第２の支持脚に対向配置された前記Ｘ字型脚部の両端部に配置され、下端部が下側連結具に取り付けられており且つ上端部が第１の上側連結具を貫通し延出している一方、前記第２の支持脚は、脚の上端部が前記上側連結具に形成された切り欠き部に挿入され、延出していることを特徴とすることを特徴とする折り畳み椅子。
【請求項３】
請求項１又は２記載の椅子において、前記袋部材の下側に位置し、且つ前記第１の支持脚及び第２の支持脚が各々挿入される孔部が開設された座部補強用のシート部材を備えており、このシート部材は、前記孔部に第１の支持脚及び第２の支持脚が各々挿入された状態で、前記上側連結具に係止されることを特徴とする折り畳み椅子。
【発明の詳細な説明】
【０００１】
【発明の属する技術分野】
本発明は、折り畳み支持脚に関する。
【０００２】
【従来の技術】
従来、この種の折り畳み椅子は、柱状に折り畳み可能な椅子本体と、この椅子本体に取り付けられたシート状の座部と、前記椅子本体に取り付けられた背もたれ部とを備えている（特許文献１参照）。
【０００３】
【特許文献１】
特開２００１−　０７００７７号公報
【０００４】
この折り畳み椅子は、アウトドア等の屋外で使用されることが多いため、汚れ易いが、前記座部及び背もたれ部が取り外すことができないため、汚れを落とすのが大変困難であるという欠点を有してる。
【０００５】
【発明が解決しようとする課題】
本発明は、上記事情に鑑みて創案されたものであって、その目的は、座部及び背もたれ部を着脱可能にし、当該座部及び背もたれ部を簡単に洗うことができる折り畳み椅子を提供することにある。
【０００６】
【課題を解決するための手段】
本発明の折り畳み椅子は、折り畳み可能な椅子本体と、この椅子本体に被せられる袋部材とを具備しており、前記椅子本体は、背もたれ側に設けられた一対の第１の支持脚と、この第１の支持脚の対向側に設けられた一対の第２の支持脚とを有しており、前記袋部材は、前記第１の支持脚に支持される背もたれ部と、この背もたれ部の両端から各々略直角に延出されており且つ前記第２の支持脚に支持される一対の肘置き部と、前記背もたれ部と前記一対の肘置き部との間に設けられた座部とを有することを特徴としている。
【０００７】
より好ましくは、前記椅子本体は、脚と脚とが互いに交差し、この交点を支点として開閉可能に連結された３つのＸ字型脚部と、脚と脚とが互いに交差し、この交点を支点として開閉可能に連結された第２の支持脚と、３つのＸ字型脚部と第２の支持脚とを環状に配置し、このＸ字型脚部の隣り合う脚の下端同士及び隣り合うＸ字型脚部の脚の下端と第２の支持脚の下端とを当該Ｘ字型脚部及び第２の支持脚が開閉可能に各々連結する下側連結具と、前記Ｘ字型脚部の隣り合う脚の上端同士を当該Ｘ字型脚部が開閉可能に各々連結する第１の上側連結具と、隣り合う前記Ｘ字型脚部の脚の上端と前記第２の支持脚の上端とを当該Ｘ字型脚部及び第２の支持脚が開閉可能に各々連結する第２の上側連結具とを有しており、前記第１の支持脚は、前記第２の支持脚に対向配置された前記Ｘ字型脚部の両端部に配置され、下端部が下側連結具に取り付けられており且つ上端部が第１の上側連結具を貫通し延出している一方、前記第２の支持脚は、脚の上端部が前記上側連結具に形成された切り欠き部に挿入され、延出していることが望ましい。
【０００８】
より好ましくは、前記袋部材の下側に位置し、且つ前記第１の支持脚及び第２の支持脚が各々挿入される孔部が開設された座部補強用のシート部材を備えており、このシート部材は、前記孔部に第１の支持脚及び第２の支持脚が各々挿入された状態で、前記上側連結具に係止されることが望ましい。
【０００９】
【発明の実施の形態】
以下、本発明の実施の形態に係る折り畳み椅子を図面を参照しながら説明する。図１は本発明の実施の形態に係る折り畳み椅子の概略的斜視図、図２は同椅子の椅子本体の下側連結具の概略的斜視図、図３は同椅子の椅子本体の上側連結具の概略的斜視図、図４は同椅子の袋部材を説明するための図、図５は同椅子の椅子本体の折り畳んだ状態を示す概略的斜視図である。
【００１０】
ここに掲げる折り畳み椅子Ａは、折り畳み可能な椅子本体１０と、この椅子本体１０に被せられる袋部材２０とを具備する。以下、各部を詳しく説明する。
【００１１】
椅子本体１０は、パイプである脚１１０と脚１１０とが互いに交差し、この交点を支点として開閉可能に連結された３つのＸ字型脚部１００と、脚２１０と脚２１０とが互いに交差し、この交点を支点として開閉可能に連結されたＸ字型脚部である第２の支持脚２００とを有している。３つのＸ字型脚部１００及び第２の支持脚２００は、環状に配置されており、隣り合うＸ字型脚部１００の脚１１０の上端同士及び隣り合うＸ字型脚部１００の脚１１０の上端と後述する第２の支持脚２００の脚２１０の上端部２１１とは、上側連結具３００によって各々連結されている。一方、隣り合うＸ字型脚部１００の脚１１０の下端同士及び隣り合うＸ字型脚部１００の脚１１０の下端と後述する第２の支持脚２００の脚２１０の下端部２１２とは、下側連結具４００によって各々連結されている。
【００１２】
下側連結具４００は、図１又は２に示すように、円板状の連結具本体４１０を有しており、連結具本体４１０の上面には、円筒状の嵌合部４１１と、この嵌合部４１１から延出された立壁４１２と、嵌合部４１１から立壁４１２と直交する方向に延出された立壁４１３とが立設されている。背もたれ側に位置する下側連結具４００の嵌合部４１１には、後述する第１の支持脚５００の下端部５２０が各々嵌合する。
【００１３】
立壁４１２には、Ｘ字型脚部１００の脚１１０の下端が各々ボルトとナットで回動自在に取り付けられている一方、立壁４１３には、後述する第２の支持脚２００の脚２１０の下端部２１２が各々ボルトとナットで回動自在に取り付けられている。これにより、Ｘ字型脚部１００及び第２の支持脚２００が開閉可能にされている。
【００１４】
一方、上側連結具３００は、図３に示すように、背もたれ側に位置する第１の上側連結具３１０と、これに対向する位置に配置された第２の上側連結具３２０とを有している。第１の上側連結具３１０は、貫通孔３１２が開設された円板状の連結具本体３１１を有している。この連結具本体３１１の下面には、貫通孔３１２の縁部に設けられた円筒状の壁部３１３と、壁部３１２から延出された立壁３１４と、壁部３１３から立壁３１４と直交する方向に延出された立壁３１５とが立設されている。壁部３１３及び貫通孔３１２には、後述する第１の支持脚５００が挿入される。立壁３１４、３１５には、隣り合うＸ字型脚部１００の脚１１０の上端が各々ナットとボルトとで回動自在に取り付けられている。これにより、Ｘ字型脚部１００が開閉可能にされている。
【００１５】
この第２の上側連結具３２０は、略長方形の板材である連結具本体３２１を有している。この連結具本体３２１には、下方に向けて立設された立壁３２２と、この立壁３２２と直交するように立設された立壁３２３と、立壁３２２と立壁３２３との間が切り欠かれた切り欠き部３２４とが設けられている。立壁３２２には、Ｘ字型脚部１００の脚１１０の上端がナットとボルトとで回動自在に取り付けられる。一方、立壁３２３には、切り欠き部３２４に挿入された後述する第２の支持脚２００の脚２１０の上端部２１１がナットとボルトとで回動自在に取り付けられている。これにより、Ｘ字型脚部１００及び第２の上側連結具３２０が開閉可能にされている。
【００１６】
この第２の支持脚２００は、Ｘ字型脚部１００とほぼ同様に構成されており、パイプである一対の脚２１０、２１０で構成されている。異なる点は、第２の支持脚２００の脚２１０の長さ寸法がＸ字型脚部１００の脚１１０の長さ寸法と比べて長く設定されていることである。従って、第２の支持脚２００脚２１０の上端部２１１は、上側連結具２００の第２の上側連結具３２０の切り欠き部３２４に挿入され、且つ延出している。この延出した第２の支持脚２００脚２１０の上端部２１１は、外側に向けて折り曲げられており、被せられた袋部材２０の肘置き部２３を支持する。また、脚２１０の上端部２１１の先端には、キャップ２１３が取り付けられており、後述するシート部材３０が椅子本体１０から外れないようにしている。なお、第２の支持脚２００脚２１０の上端部２１１は、外側に向けて折り曲げられているとしたが、真っ直ぐに形成しても良い。
【００１７】
第１の支持脚５００は、上端部５１０が外側に若干折り曲げられた一対のパイプであって、第２の支持脚２００の対向側に配置されたＸ字型脚部１００の両端部に各々配置されている。第１の支持脚５００は、下端部５２０が下側連結具４００の嵌合部４１１に嵌合されている一方、上端部５１０が上側連結具３００の壁部３１３及び貫通孔３１２に挿入され、上側連結具３００を貫通して上方に延びている。そして、この延出した第１の支持脚５００の上端部５１０は、被せられた袋部材２０の背もたれ部２２を支持する。また、第１の支持脚５００の上端部５１０の先端には、キャップ５１１が取り付けられており、後述するシート部材３０が椅子本体１０から外れないようにしている。なお、第１の支持脚５００の上端部５１０は、外側に折り曲げられているとしたが、真っ直ぐに形成しても良い。
【００１８】
この袋部材２０は、図４に示すように、布を椅子の形状に縫い、作製された袋であり、下側に開口２４を有している。この袋部材２０は、座部２１と、座部２１から立ち上がるように設けられた背もたれ部２２と、座部２１の両側から立ち上がるように設けられており且つ背もたれ部２２から斜め方向に傾斜した肘置き部２３、２３とが一体的に形成されたものである。開口２４から挿入された第１の支持脚５００が、背もたれ部２２の両端部を、第２の支持脚２００が、肘置き部２３、２３を、それぞれ支持する。
【００１９】
また、この袋部材２０の下側に配置されるシート部材３０は、図１又は５に示すように、座部２１補強用の略長方形のシートであって、四隅に第１の支持脚５００及び第２の支持脚２００が各々挿入される孔部３１が開設されている。このシート部材３０の孔部３１の直径は、第１の支持脚５００及び第２の支持脚２００の直径よりも若干大きめに設定されている。よって、シート部材３０は、孔部３１に第１の支持脚５００及び第２の支持脚２００が各々挿入された状態で、上側連結具３００に係止される。また、シート部材３０は、脚２１０の上端部２１１の先端に取り付けられたキャップ２１３と第１の支持脚５００の上端部５１０の先端に取り付けられたキャップ５１１とで椅子本体１０から取り外すことができないようにされている。このシート部材３０を用いることにより、座った状態で、座部２１が落ち込まない。従って、座り心地が良くなる。なお、椅子本体１０から着脱可能に取り外し変更することも可能である。
【００２０】
以下、折り畳み支持脚Ａの組立及び収納手順について説明する。まず、組み立てる場合には、第１の支持脚５００、第２の支持脚２００、上側連結具３００等を持ち、図１に示す矢印方向αに広げる。すると、Ｘ字型脚部１００及び第２の支持脚２００が開く。この状態で、シート部材３０の孔部３１に第１の支持脚５００及び第２の支持脚２００を各々挿入する。すると、シート部材３０は、上側連結具３００に係止される。その後、第１の支持脚５００及び第２の支持脚２００に袋部材２０を被せる。
【００２１】
次に、収納する場合には、袋部材２０、シート部材３０を順次取り外す。その後、第１の支持脚５００、第２の支持脚２００、上側連結具３００等を持ち、矢印方向βに閉じると、椅子本体１０が柱状になる（図５参照）。なお、シート部材３０を取り外さず、そのまま椅子本体１０を柱状にしてもよい。
【００２２】
このような折り畳み支持脚Ａによる場合、袋部材２０及びシート部材３０を簡単に取り外すことができる。従って、袋部材２０及びシート部材３０が汚れた場合であっても簡単に洗うことができる。特に、アウトドアのように屋外用いる場合には、汚れ易いため、非常に便利になる。なお、以下のように設計変更することが可能である。
【００２３】
折り畳み支持脚Ａの椅子本体１０は、ここでは、Ｘ字型脚部１００、第２の支持脚２００、上側連結具３００及び下側連結具４００を用いて折り畳み可能としていたが、この機構に限定されることなく、折り畳み可能であれば良い。例えば、脚部と、この脚部の端部が係合される係合孔が設けられた脚部とを用いて組み立てるようにしても構わない。このとき、椅子本体は、椅子本体の背もたれ側に設けられた一対の第１の支持脚と、椅子本体の第１の支持脚の対向側に設けられた一対の第２の支持脚とが設けられるようにする。
【００２４】
また、第２の支持脚２００は、ここでは、Ｘ字型脚部１００であるとしたが、第１の支持脚５００とほぼ同様の一対のパイプに設計変更することも可能である。このとき、第２の支持脚２００の長さ寸法は、第１の支持脚５００の長さ寸法より小さくし、Ｘ字型脚部１００を４つ設けるようにする。また、第２の上側連結具３２０に代えて第１の上側連結具３１０を用いる。
【００２５】
【発明の効果】
本発明の請求項１記載の折り畳み椅子は、折り畳み可能な椅子本体と、この椅子本体に被せられる袋部材とを具備しており、前記椅子本体は、背もたれ側に設けられた一対の第１の支持脚と、この第１の支持脚の対向側に設けられた一対の第２の支持脚とを有しており、前記袋部材は、前記第１の支持脚に支持される背もたれ部と、この背もたれ部の両端から各々略直角に延出されており且つ前記第２の支持脚に支持される一対の肘置き部と、前記背もたれ部と前記一対の肘置き部との間に設けられた座部とを有する。このような構成による場合、袋部材が着脱可能であるため、汚れた場合であっても簡単に洗うことができる。特に、アウトドアのように屋外用いる場合には、汚れ易いため、非常に便利になる。
【００２６】
本発明の請求項２記載の折り畳み椅子は、請求項１記載の椅子折り畳みにおいて、前記椅子本体は、脚と脚とが互いに交差し、この交点を支点として開閉可能に連結された３つのＸ字型脚部と、脚と脚とが互いに交差し、この交点を支点として開閉可能に連結された第２の支持脚と、３つのＸ字型脚部と第２の支持脚とを環状に配置し、このＸ字型脚部の隣り合う脚の下端同士及び隣り合うＸ字型脚部の脚の下端と第２の支持脚の下端とを当該Ｘ字型脚部及び第２の支持脚が開閉可能に各々連結する下側連結具と、前記Ｘ字型脚部の隣り合う脚の上端同士を当該Ｘ字型脚部が開閉可能に各々連結する第１の上側連結具と、隣り合う前記Ｘ字型脚部の脚の上端と前記第２の支持脚の上端とを当該Ｘ字型脚部及び第２の支持脚が開閉可能に各々連結する第２の上側連結具とを有しており、前記第１の支持脚は、前記第２の支持脚に対向配置された前記Ｘ字型脚部の両端部に配置され、下端部が下側連結具に取り付けられており且つ上端部が第１の上側連結具を貫通し延出している一方、前記第２の支持脚は、脚の上端部が前記上側連結具に形成された切り欠き部に挿入され、延出している。このような構成による場合、前記椅子本体の折り畳みが非常に容易になり、便利である。
【００２７】
本発明の請求項３記載の折り畳み椅子は、請求項１又は２記載の椅子において、前記袋部材の下側に位置し、且つ前記第１の支持脚及び第２の支持脚が各々挿入される孔部が開設された座部補強用のシート部材を備えており、このシート部材は、前記孔部に第１の支持脚及び第２の支持脚が各々挿入された状態で、前記上側連結具に係止される。このような構成による場合、前記シート部材で前記袋部材の座部をを補強することができる。よって、座った状態で、前記座部が落ち込まず、座り心地が良くなる。
【図面の簡単な説明】
【図１】本発明の実施の形態に係る折り畳み椅子の概略的斜視図である。
【図２】同椅子の椅子本体の下側連結具の概略的斜視図である。
【図３】同椅子の椅子本体の上側連結具の概略的斜視図である。
【図４】同椅子の袋部材を説明するための図である。
【図５】同椅子の椅子本体の折り畳んだ状態を示す概略的斜視図である。
【符号の説明】
Ａ　　　折り畳み椅子
１０　　椅子本体
１００　Ｘ字型脚部
２００　第２の支持脚
５００　第１の支持脚
２０　　袋部材
３０　　シート部材
【図１】
2004105557.tif 000003
【図２】
2004105557.tif 000004
【図３】
2004105557.tif 000005
【図４】
2004105557.tif 000006
【図５】
2004105557.tif 000007